【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
第１の送信機において、前記第１の送信機の第１の送信機会（ＴＸＯＰ）の再使用に関するクリアチャネルアクセス（ＣＣＡ）しきい値を決定することと、
前記第１の送信機からメッセージの一部分を送ることと、ここにおいて、前記メッセージの前記一部分は、前記第１の送信機の前記第１のＴＸＯＰの再使用に関する前記ＣＣＡしきい値を示す、
前記メッセージの前記一部分を通信するために使用された同じチャネルを介して、前記第１のＴＸＯＰ中に、前記第１の送信機から第１の受信機に前記メッセージの第２の一部分を送ることと、ここにおいて、前記ＣＣＡしきい値は、前記第１の送信機によって、前記メッセージを送る前に動的に決定される、
を備える方法。
【請求項２】
前記メッセージは、前記第１のＴＸＯＰの、再使用送信機による再使用が許可されるかどうかを示す、請求項１に記載の方法。
【請求項３】
前記ＣＣＡしきい値は、基本サービスセット（ＢＳＳ）における前記第１の送信機と第１の受信機との間のリンクの信号強度に基づいて、重複基本サービスセット（ＯＢＳＳ）の干渉レベルに基づいて、前記メッセージの前に前記第１の送信機によって通信された特定のメッセージに関連して使用された以前のＣＣＡしきい値に基づいて、またはそれらの組合せに基づいて決定される、請求項１に記載の方法。
【請求項４】
前記メッセージの前記一部分は、信号（ＳＩＧ）フィールドにおける値に基づく前記ＣＣＡしきい値を示す、請求項１に記載の方法。
【請求項５】
前記ＣＣＡしきい値は、前記メッセージを送る前に決定され、前記ＣＣＡしきい値は、再使用ＣＣＡしきい値を備える、請求項１に記載の方法。
【請求項６】
前記ＣＣＡしきい値は、前記第１のＴＸＯＰの再使用に対応する規格ベースのＣＣＡしきい値よりも小さい、請求項１に記載の方法。
【請求項７】
前記規格ベースのＣＣＡしきい値は−６２ｄＢｍであり、ｄＢｍは、１ミリワット（ｍＷ）を基準とする測定電力のデシベル（ｄＢ）での電力比である、請求項６に記載の方法。
【請求項８】
再使用送信機において、第１の送信機によって送られたメッセージの一部分を検出することと、ここにおいて、前記メッセージは、前記第１の送信機の第１の送信機会（ＴＸＯＰ）を示す、
前記一部分に基づいて、前記第１の送信機の前記第１のＴＸＯＰの再使用に関するクリアチャネルアクセス（ＣＣＡ）しきい値を決定することと、
前記第１のＴＸＯＰを再使用することを決定したことに応答して、前記メッセージの第２の一部分が前記第１の送信機から第１の受信機に送られる間に、前記第１のＴＸＯＰ中に前記再使用送信機から第２のメッセージの少なくとも一部分を送ることと、ここにおいて、前記第２のメッセージの前記一部分は、前記ＣＣＡしきい値に基づいて送られる、
を備える方法。
【請求項９】
前記ＣＣＡしきい値は、前記第１の送信機によって許容可能な干渉の量に対応する、請求項８に記載の方法。
【請求項１０】
前記第１のＴＸＯＰの再使用が許可されるときに、前記第１のＴＸＯＰを再使用するかどうかを前記再使用送信機において決定することをさらに備える、請求項８に記載の方法。
【請求項１１】
前記第１のＴＸＯＰを再使用することの決定は、前記第１の送信機のＣＣＡレベルが前記ＣＣＡしきい値以下であるかどうかに基づく、請求項１０に記載の方法。
【請求項１２】
前記第１のＴＸＯＰを再使用することの決定は、前記第１の送信機の電力レベル、前記メッセージが前記再使用送信機にアドレス指定されているかどうか、前記第１のＴＸＯＰの再使用中に前記再使用送信機によって送られる第２のメッセージが前記メッセージの第１の受信機にアドレス指定されているかどうか、前記再使用送信機によって支持されるネットワーク割振りベクトル（ＮＡＶ）が前記第１の送信機によって設定されたかどうか、またはそれらの組合せに基づく、請求項８に記載の方法。
【請求項１３】
前記第１のＴＸＯＰを再使用することの決定は、再使用受信機への前記再使用送信機の物理的近接性に基づくか、前記再使用送信機と再使用受信機との間のハンドシェイク交換に基づくか、またはそれらの組合せに基づく、請求項８に記載の方法。
【請求項１４】
前記第１のＴＸＯＰの持続時間を決定することをさらに備える、請求項８に記載の方法。
【請求項１５】
前記第１のＴＸＯＰに続く第２のＴＸＯＰを再使用するかどうかを決定することをさらに備え、前記第２のＴＸＯＰを再使用することの決定は、前記メッセージが第１の受信機によって受信されるかどうか、前記第１のＴＸＯＰ中に前記再使用送信機によって送られる第２のメッセージが再使用受信機によって受信されるかどうか、履歴データ、またはそれらの組合せに基づく、請求項８に記載の方法。
【請求項１６】
再使用送信機において、第１の送信機によって送られたメッセージの一部分を検出することと、ここにおいて、前記メッセージは、前記第１の送信機の第１の送信機会（ＴＸＯＰ）を示す、
再使用送信機において、第１の送信機の第１の送信機会（ＴＸＯＰ）の再使用が許可されると決定することと、
前記第１の送信機の電力レベル、前記メッセージが前記再使用送信機にアドレス指定されているかどうか、前記第１のＴＸＯＰの再使用中に前記再使用送信機よって送られる第２のメッセージが前記メッセージの第１の受信機にアドレス指定されているかどうか、前記再使用送信機によって支持されるネットワーク割振りベクトル（ＮＡＶ）が前記第１の送信機によって設定されたかどうか、受信機（ＲＸ）クリアチャネルアクセス（ＣＣＡ）しきい値、またはそれらの組合せに基づいて、前記第１の送信機の前記第１のＴＸＯＰを再使用するかどうかを決定することと
を備える方法。
【請求項１７】
前記ＲＸ  ＣＣＡしきい値は、前記第１のＴＸＯＰ中に第１の受信機によって許容可能な干渉の量に対応する、請求項１６に記載の方法。
【請求項１８】
前記再使用送信機において、前記ＲＸ  ＣＣＡしきい値を決定することをさらに備える、請求項１６に記載の方法。
【請求項１９】
前記再使用送信機は、第１のメッセージに関連する信号（ＳＩＧ）フィールドに含まれる１つまたは複数のビットに基づいて、前記ＲＸ  ＣＣＡしきい値を決定する、請求項１８に記載の方法。
【請求項２０】
前記再使用送信機は、第１の受信機によって送られたブロック確認応答（ＢＡ）に基づいて前記ＲＸ  ＣＣＡしきい値を決定し、ここにおいて、前記ＢＡは、第１のメッセージの前に送られた特定のメッセージに応答したものである、請求項１８に記載の方法。
【請求項２１】
前記再使用送信機は、第１の受信機から受信された管理メッセージに基づいて前記ＲＸ  ＣＣＡしきい値を決定する、請求項１８に記載の方法。
【請求項２２】
前記再使用送信機は、送信要求（ＲＴＳ）メッセージまたは第１の受信機から送られた送信可（ＣＴＳ）メッセージに基づいて前記ＲＸ  ＣＣＡしきい値を決定し、ここにおいて、前記ＲＴＳメッセージまたは前記ＣＴＳメッセージは、第１のメッセージの前に送られた特定のメッセージに関連付けられる、請求項１８に記載の方法。
【請求項２３】
再使用送信機において、第１の受信機によって送られたメッセージの一部分を検出することと、ここにおいて、前記メッセージは、第１の送信機の第１の送信機会（ＴＸＯＰ）を示す、
前記再使用送信機において、前記第１の送信機の前記第１の送信機会（ＴＸＯＰ）の再使用に関連するクリアチャネルアクセス（ＣＣＡ）しきい値を決定することと、
前記第１のＴＸＯＰ中に第２のメッセージを送るために前記第１のＴＸＯＰを再使用することと、
前記第２のメッセージの通信に関連するパフォーマンス評価を実行することと、
前記パフォーマンス評価に基づいて、前記第１のＴＸＯＰに続く第２のＴＸＯＰを再使用するかどうかを決定することと、
を備える方法。
【請求項２４】
前記メッセージの前記一部分は、送信可（ＣＴＳ）メッセージに含まれ、ここにおいて、前記ＣＴＳメッセージは、前記第１の送信機によって送られた送信要求（ＲＴＳ）メッセージに応答して、前記第１の受信機によって送られる、請求項２３に記載の方法。
【請求項２５】
前記第１のＴＸＯＰの再使用が許可されるときに、前記第１のＴＸＯＰを再使用するかどうかを前記再使用送信機において決定することをさらに備える、請求項２３に記載の方法。
【請求項２６】
前記第１のＴＸＯＰを再使用することの決定は、再使用受信機への前記再使用送信機の物理的近接性に基づくか、前記一部分の第１のＣＣＡレベルが受信機（ＲＸ）ＣＣＡしきい値以下であるかどうかに基づくか、またはこれらの組合せに基づく、請求項２５に記載の方法。
【請求項２７】
前記第１のＴＸＯＰを再使用することの決定は、前記第１の送信機の第２のＣＣＡレベルが前記第１のＴＸＯＰに関するＣＣＡしきい値以下であるかどうか、前記メッセージが前記再使用送信機にアドレス指定されているかどうか、前記第１のＴＸＯＰの再使用中に前記再使用送信機によって送られる第２のメッセージが、前記第１のＴＸＯＰ中に前記メッセージを受信する前記第１の受信機にアドレス指定されているかどうか、前記再使用送信機によって支持されるネットワーク割振りベクトル（ＮＡＶ）が前記第１の送信機によって設定されたかどうか、またはそれらの組合せに基づく、請求項２６に記載の方法。
【請求項２８】
ＣＣＡしきい値に基づいて、前記再使用送信機から再使用受信機に第２のメッセージを送るために前記第１のＴＸＯＰを再使用することをさらに備える、請求項２３に記載の方法。
【請求項２９】
前記ＣＣＡしきい値は、受信機（ＲＸ）クリアＣＣＡしきい値を備える、請求項２３に記載の方法。
【請求項３０】
前記メッセージに関連する変調およびコーディング方式（ＭＣＳ）を識別することと、
前記ＭＣＳに基づいて前記ＣＣＡしきい値を調整することと
をさらに備える、請求項２３に記載の方法。
【請求項３１】
第１の送信機会（ＴＸＯＰ）の再使用に関するクリアチャネルアクセス（ＣＣＡ）しきい値を決定するように構成されたプロセッサと、
前記第１のＴＸＯＰの再使用に関する前記ＣＣＡしきい値を含むメッセージの一部分を送り、前記メッセージの前記一部分を通信するために使用された同じチャネルを介して、前記第１のＴＸＯＰ中に、第１の受信機に前記メッセージの第２の一部分を送る送信機と、ここにおいて、前記ＣＣＡしきい値は、前記メッセージを送る前に動的に決定される、
を備える装置。
【請求項３２】
前記ＣＣＡしきい値は、基本サービスセット（ＢＳＳ）における信号強度に基づいて、重複基本サービスセット（ＯＢＳＳ）の干渉レベルに基づいて、前記メッセージの前に通信された特定のメッセージに関連して使用された以前のＣＣＡしきい値に基づいて、またはそれらの組合せに基づいて決定される、請求項３１に記載の装置。
【請求項３３】
前記メッセージは、信号（ＳＩＧ）フィールドにおける値に基づく前記ＣＣＡしきい値を示す、請求項３１に記載の装置。
【請求項３４】
前記ＣＣＡしきい値は、再使用ＣＣＡしきい値を備える、請求項３１に記載の装置。
【請求項３５】
前記ＣＣＡしきい値は、前記第１のＴＸＯＰの再使用に対応する規格ベースのＣＣＡしきい値よりも小さい、請求項３１に記載の装置。
【請求項３６】
第１の送信機によって送られたメッセージを検出することと、ここにおいて、前記メッセージは、前記第１の送信機の第１の送信機会（ＴＸＯＰ）を示す、
前記メッセージに基づいて、前記第１の送信機の前記第１のＴＸＯＰの再使用に関するクリアチャネルアクセス（ＣＣＡ）しきい値を決定することと
を行うように構成されたプロセッサと、
前記メッセージの第２の一部分が前記第１の送信機から第１の受信機に送られる間に、前記第１のＴＸＯＰ中から第２のメッセージの少なくとも一部分を送る送信機と、ここにおいて、前記第２のメッセージの前記一部分は、前記ＣＣＡしきい値に基づいて送られる、
を備える装置。
【請求項３７】
前記ＣＣＡしきい値は、受信機（ＲＸ）クリアＣＣＡしきい値を備える、請求項３６に記載の装置。
【請求項３８】
前記ＣＣＡしきい値は、前記第１の送信機によって許容可能な干渉の量に対応する、請求項３６に記載の装置。
【請求項３９】
前記プロセッサは、前記第１のＴＸＯＰを再使用するかどうかを決定するように構成される、請求項３６に記載の装置。
【請求項４０】
前記プロセッサは、前記第１の送信機のＣＣＡレベルが前記ＣＣＡしきい値以下であるかどうかに基づいて前記第１のＴＸＯＰを再使用するかどうかを決定するように構成される、請求項３６に記載の装置。
【請求項４１】
前記プロセッサは、前記第１の送信機の電力レベル、前記第１のＴＸＯＰの再使用中に送られる第２のメッセージが前記メッセージの第１の受信機にアドレス指定されているかどうか、支持されるネットワーク割振りベクトル（ＮＡＶ）が前記第１の送信機によって設定されたかどうか、またはそれらの組合せに基づいて、前記第１のＴＸＯＰを再使用するかどうかを決定するように構成される、請求項３６に記載の装置。
【請求項４２】
前記プロセッサは、再使用受信機の物理的近接性に基づいて、ハンドシェイク交換に基づいて、またはそれらの組合せに基づいて、前記第１のＴＸＯＰを再使用するかどうかを決定するように構成される、請求項３６に記載の装置。
【請求項４３】
前記送信機は、前記第１のＴＸＯＰを再使用することを決定したことに応答して、前記第１のＴＸＯＰ中に前記第２のメッセージの少なくとも一部分を送る、請求項３６に記載の装置。
【請求項４４】
第１の送信機会（ＴＸＯＰ）の再使用に関するクリアチャネルアクセス（ＣＣＡ）しきい値を決定するための手段と、
前記第１のＴＸＯＰの再使用に関する前記ＣＣＡしきい値を含むメッセージの一部分、および、前記メッセージの前記一部分を通信するために使用された同じチャネルを介して、前記第１のＴＸＯＰ中に、第１の受信機に前記メッセージの第２の一部分を送信するための手段と、ここにおいて、前記ＣＣＡしきい値は、前記メッセージを送る前に動的に決定される、
を備える装置。
【請求項４５】
第１の送信機によって送られたメッセージの一部分を検出するための手段と、ここにおいて、前記メッセージは、前記第１の送信機の第１の送信機会（ＴＸＯＰ）を示す、
前記メッセージの前記一部分に基づいて、前記第１の送信機の前記第１のＴＸＯＰの再使用に関するクリアチャネルアクセス（ＣＣＡ）しきい値を決定するための手段と、
前記メッセージの第２の一部分が前記第１の送信機から第１の受信機に送られる間に、前記第１のＴＸＯＰ中から第２のメッセージの少なくとも一部分を送るための手段と、ここにおいて、前記第２のメッセージの前記一部分は、前記ＣＣＡしきい値に基づいて送られる、
を備える装置。
【請求項４６】
プロセッサによって実行されると、前記プロセッサに、
第１の送信機会（ＴＸＯＰ）の再使用に関するクリアチャネルアクセス（ＣＣＡ）しきい値を決定することと、
第１の送信機の前記第１のＴＸＯＰの再使用に関する前記ＣＣＡしきい値を含むメッセージの一部分を送ることと、
前記メッセージの前記一部分を通信するために使用された同じチャネルを介して、前記第１のＴＸＯＰ中に、第１の受信機に前記メッセージの第２の一部分を送ることと、ここにおいて、前記ＣＣＡしきい値は、前記メッセージを送る前に動的に決定される、
を備える動作を行わせる命令を備えるコンピュータ可読記憶媒体。
【請求項４７】
プロセッサによって実行されると、前記プロセッサに、
第１の送信機によって送られたメッセージの一部分を検出することと、ここにおいて、前記メッセージは、前記第１の送信機の第１の送信機会（ＴＸＯＰ）を示す、
前記メッセージの前記一部分に基づいて、前記第１の送信機の前記第１のＴＸＯＰの再使用に関するクリアチャネルアクセス（ＣＣＡ）しきい値を決定することと、
前記第１のＴＸＯＰを再使用することを決定したことに応答して、前記メッセージの第２の一部分が前記第１の送信機から第１の受信機に送られる間に、前記第１のＴＸＯＰ中から第２のメッセージの少なくとも一部分を送ることと、ここにおいて、前記第２のメッセージの前記一部分は、前記ＣＣＡしきい値に基づいて送られる、
を備える動作を行わせる命令を備えるコンピュータ可読記憶媒体。